(57)【特許請求の範囲】
【請求項１】
リーダライタ側のアンテナコイルとカード側のアンテナコイルとで電磁結合により当該リーダライタから電力の供給を受け、信号を当該リーダライタと送受信する非接触ＩＣカードであって、
当該非接触ＩＣカードの内部において、
シート状の磁性体からなる磁性体シートの上面と、当該磁性体シートの上面に配置されたシート状の絶縁性物質の上面と、のいずれかの位置に、検出コイルを配置した構造からなる磁界検出素子を、少なくとも１つ備え、
当該磁界検出素子の前記検出コイルに電気的に接続されて前記非接触ＩＣカードの動作を制御する制御手段を有するＩＣチップをも備え、
当該ＩＣチップは、
前記検出コイルを貫く磁束の量が時間的に変化したときに、当該コイルに誘導された起電力を検出する機能構成を備え、
前記ＩＣチップの制御手段は、
当該ＩＣチップが前記検出コイルに誘導された起電力を検出した場合に、当該起電力を検出していない場合とは異なる手順の制御を実行する機能構成を備える
、
ことを特徴とする非接触ＩＣカード。
【請求項２】
前記非接触ＩＣカードは、
その一つの表面に前記ＩＣチップが前記検出コイルに誘導された起電力を検出した場合に実行する手順に、対応する表記がなされており、
もう一つの表面に前記ＩＣチップが前記検出コイルに誘導された起電力を検出しない場合に実行する手順に、対応する表記がなされている、
ことを特徴とする請求項１に記載の非接触ＩＣカード。
【請求項３】
前記非接触ＩＣカードは、
同時に複数枚の当該非接触ＩＣカードを検出して識別するアンチコリジョン機能を持つ前記リーダライタに対応するものであって、前記磁界検出素子を２つ以上有し、
当該２つ以上の磁界検出素子の全部は、
前記非接触ＩＣカードがなす四角形平面についての縦横の直交軸におけるいずれかの対称軸上にあり、且つ、当該対称軸を当該四角形平面の中心点で二分したときの一方側に、それぞれ離れて配置されており、
前記磁界検出素子の１つ以上における前記磁性体シートと前記検出コイルの位置関係は、
他の前記磁界検出素子における前記磁性体シートと前記検出コイルの位置関係とは逆になっている、
ことを特徴とする請求項１又は２に記載の非接触ＩＣカード。
【請求項４】
前記非接触ＩＣカードは、
偏って分散配置されている前記磁界検出素子の当該配置に関連する特定方向を認識させる印が、当該非接触ＩＣカードの表面に表示されている、
ことを特徴とする請求項３に記載の非接触ＩＣカード。
【請求項５】
前記非接触ＩＣカードは、
同時に複数枚の当該非接触ＩＣカードを検出して識別するアンチコリジョン機能を持つ前記リーダライタに対応するものであって、前記磁界検出素子を２つ以上の偶数個有し、
当該偶数個の磁界検出素子の内の２つからなる組は、
前記非接触ＩＣカードがなす四角形平面についての縦横の直交対称軸におけるいずれかの対称軸上で、或いは両方の対称軸上で、当該四角形平面の中心点を対称中心として対称となる位置に、当該２つの磁界検出素子がそれぞれ配置されており、
当該組をなす２つに磁界検出素子は、
当該２つの磁界検出素子における一方の磁界検出素子の前記磁性体シートと前記検出コイルの位置関係が、当該２つの磁界検出素子における他方の前記磁界検出素子の前記磁性体シートと前記検出コイルの位置関係とは逆になっている、
ことを特徴とする請求項１又は２に記載の非接触ＩＣカード。
【請求項６】
前記制御手段は、
前記ＩＣチップが前記検出コイルに誘導された起電力を検出した場合に、前記リーダライタから前記非接触ＩＣカードに送られてくるコマンドに対して応答するレスポンスの内の一つ以上に、前記磁界検出素子が磁界を検出したことを示す情報を含めて、当該リーダライタへ送信する機能構成を備える、
ことを特徴とする請求項３、４又は５に記載の非接触ＩＣカード。
【請求項７】
請求項３、４、５又は６に記載の非接触ＩＣカードの位置検出方法であって、
当該非接触ＩＣカードを複数枚、それぞれの前記磁界検出素子が重なるように向き合わせて重ねて、前期リーダライタと通信させた場合に、当該複数枚の非接触ＩＣカードからのレスポンスの中で、当該磁界検出素子が磁界を検出したことを示す情報を含んだレスポンスを送信した非接触ＩＣカードを、当該リーダライタに一番近い位置にある非接触ＩＣカードと判別する、
ことを特徴とする非接触ＩＣカードの位置検出方法。
【請求項８】
請求項４又は６に記載の非接触ＩＣカードの位置検出方法であって、
前記非接触ＩＣカード表面に表示された印を用いて、当該非接触ＩＣカードを複数枚、それぞれの前記磁界検出素子が重なるように向き合わせて重ねて、
前記リーダライタと通信させる、
ことを特徴とする非接触ＩＣカードの位置検出方法。
【請求項９】
請求項５又は６に記載の非接触ＩＣカードの位置検出方法であって、
当該非接触ＩＣカードを複数枚重ねて、前記リーダライタと通信させた場合に、当該複数枚の非接触ＩＣカードからのレスポンスの中で、前記磁界検出素子が磁界を検出したことを示す情報を含んだレスポンスを送信した非接触ＩＣカードを、当該リーダライタに一番近い位置にある非接触ＩＣカードと判別する、
ことを特徴とする非接触ＩＣカードの位置検出方法。
【発明の詳細な説明】
【０００１】
【発明の属する技術分野】
本発明は、リーダライタから電磁誘導によって電力供給を受けて当該リーダライタと通信する非接触ＩＣカードに関し、特に、一枚のカードで複数の利用形態に対応可能な非接触ＩＣカード及び非接触ＩＣカードの位置検出方法に関する。
【０００２】
【従来の技術】
リーダライタから発せられる交流磁界を利用して、リーダライタと非接触で通信を行う非接触ＩＣカードは、当該非接触ＩＣカードをリーダライタにかざすだけで、カードの裏表や向きに依存することなくリーダライタと通信可能である。
【０００３】
しかも、非接触ＩＣカードに電池等の電源を内蔵する必要がないので、従来から各方面での利用が考えられてきている。特に、非接触ＩＣカード内部のデータへアクセスする際の操作が簡単であるため、公共交通機関におけるチケットや入退室管理等、人が出入りする場所における管理用途として近年注目を集めている。
【０００４】
また、非接触ＩＣカードは、通常、大容量のメモリを内蔵しているので、大量のデータ及びアプリケーションを搭載することが可能であり、一枚のカードで複数のサービスを提供するといった利用方法も考えられている。
その一方で、非接触ＩＣカード一枚当りの価格が磁気ストライプカードなどに比べて高くなる傾向があり、これにより、一枚のカードを複数の事業者で利用するといった、相乗りをする利用方法も注目されている。
【０００５】
【発明が解決しようとする課題】
しかしながら、上述のような従来の非接触ＩＣカードの相乗り利用方法では、利用者が非接触ＩＣカードを利用する際に、一旦窓口サイトのような場所にアクセスし、その後所望のサービスを利用するために、端末の画面などを見て所望のサービスを選択する必要がある。そのため、利用者が非接触ＩＣカードをリーダライタにかざしてから所望のサービスを受けるまでに、人手によるサービス選択操作が必要になるなど時間及び手間がかかるという問題点があった。
【０００６】
また、一枚の非接触ＩＣカードに対して提供可能なサービスの中に、入退出サービスなどの処理時間が一定時に制限されるサービスが含まれている場合は、そのサービスに固有な専用コマンドを非接触ＩＣカードとリーダライタに予め準備しておき、そのコマンドを受信した際に、非接触ＩＣカード内部での処理を変更する方法も考えられる。
【０００７】
しかし、この方法においても、非接触ＩＣカードは、最初に送られくるコマンドを受信して初めて専用コマンドであることが判別できる。従って、専用コマンドを受信した後に、非接触ＩＣカード内部での処理を分岐するための判断や非接触ＩＣカードの動作を変更する処理が必要となるので、予め専用のコマンドにのみ対応した非接触ＩＣカード、即ち１つのサービスにのみ対応した非接触ＩＣカードと比べて、処理時間が長くなるという問題点もあった。
【０００８】
このように、非接触ＩＣカードは、パーソナルコンピュータや携帯端末の入力手段のような、それ自身での入力手段を持たないため、一枚の非接触ＩＣカードで複数のサービスが受け得る非接触ＩＣカードの場合は、所望のサービスを指定するための利用者による操作や、非接触ＩＣカード内部での受信コマンドに基づいた判別処理などが必要となり、サービス提供に要する処理時間が長くなる傾向があった。
【０００９】
そのため、非接触ＩＣカードへのアクセスの容易さなどの理由で適用が期待されている入退室管理用途向けの非接触ＩＣカードでは、サービス提供に要する処理時間の長さにより、上述の相乗り利用方法の実現が困難であった。
【００１０】
非接触ＩＣカードのもう一つの特徴として、アンチコリジョン機能により複数枚の非接触ＩＣカードを同時に重ねてハンドリングすることが可能であるといった利点がある。この特徴を利用して、例えば一枚のテレホンカードで通話中に度数がなくなった場合に、もう一枚のテレホンカードを挿入して、引き続き通話を可能とするようなサービスも行われている。このように、非接触ＩＣカードは、複数枚につき同時に利用できるという特徴がある。
【００１１】
しかしながら、例えば、二枚のテレホンカードを同時に重ねて電話機に入れた場合に、リーダライタを介して非接触ＩＣカードの情報を読み取るシステム側では、二枚のテレホンカードのどちらがリーダライタに近い位置に入れられているかといった非接触ＩＣカードの物理的な位置関係についての情報が従来のシステムでは取得できなかった。
【００１２】
そのため、二枚の非接触ＩＣカードを利用するサービスにおいて、途中で非接触ＩＣカードを抜き取る又は入れ換えるなどの操作をする必要がある場合に、利用者に対していずれの非接触ＩＣカードを入れ換えるべき又は取り除くべきであるといった、木目細かいガンダンスをすることが困難であった。
【００１３】
ここにおいて、本発明の解決すべき主要な目的は以下の通りである。
即ち、本発明の第１の目的は、複数のサービスに対して一枚の非接触ＩＣカードで対応する相乗り利用が可能であって、非接触ＩＣカードの検出からデータアクセスまでの時間を含めた相乗り利用においての処理時間を短縮することを可能とする非接触ＩＣカードを提供せんとするものである。
【００１４】
本発明の第２の目的は、非接触ＩＣカードを複数枚重ねてリーダライタに検出させた場合に、リーダライタで検出された非接触ＩＣカードと他の非接触ＩＣカードの位置関係を認識することを可能とする非接触ＩＣカード及び非接触ＩＣカードの位置検出方法を提供せんとするものである。
【００１５】
本発明の他の目的は、明細書、図面、特に、特許請求の範囲における各請求項の記載から自ずと明らかとなろう。
【００１６】
【課題を解決するための手段】
本発明装置は、上記課題の解決に当たり、非接触ＩＣカードが持つ裏表２つの面に対して、どちらか一方の面側からその非接触ＩＣカードに近づく磁界のみを検出する磁界検出素子を非接触ＩＣカードに内蔵させた構成手段を講じる特徴を有する。
【００１７】
本発明方法は、上記課題の解決に当たり、非接触ＩＣカードが持つ裏表２つの面に対して、どちらか一方の面側からその非接触ＩＣカードに近づく磁界のみを検出する磁界検出素子が、磁界を検出したか否かによって、非接触ＩＣカードの位置を判断する構成手法を講じる特徴を有する。
【００１８】
更に、具体的詳細に述べると、当該課題の解決では、本発明が次に列挙する上位概念から下位概念にわたる新規な特徴的構成手段又は手法を採用することにより、上記目的を達成するように為される。
【００１９】
即ち、本発明の第１の特徴は、リーダライタ側のアンテナコイルとカード側のアンテナコイルとで電磁結合により当該リーダライタから電力の供給を受け、信号を当該リーダライタと送受信する非接触ＩＣカードであって、当該非接触ＩＣカードの内部において、シート状の磁性体からなる磁性体シートの上面と、当該磁性体シートの上面に配置されたシート状の絶縁性物質の上面と、のいずれかの位置に、検出コイルを配置した構造からなる磁界検出素子を、少なくとも１つ備え、当該磁界検出素子の前記検出コイルに電気的に接続されて前記非接触ＩＣカードの動作を制御する制御手段を有するＩＣチップをも備え、当該ＩＣチップが、前記検出コイルを貫く磁束の量が時間的に変化したときに、当該コイルに誘導された起電力を検出する機能構成を備え、前記ＩＣチップの制御手段は、当該ＩＣチップが前記検出コイルに誘導された起電力を検出した場合に、当該起電力を検出していない場合とは異なる手順の制御を実行する機能構成を備えてなる非接触ＩＣカードの構成採用にある。
【００２２】
本発明装置の第２の特徴は、上記本発明装置の第１の特徴における前記非接触ＩＣカードが、その一つの表面に前記ＩＣチップが前記検出コイルに誘導された起電力を検出した場合に実行する手順に、対応する表記がなされており、もう一つの表面に前記ＩＣチップが前記検出コイルに誘導された起電力を検出しない場合に実行する手順に、対応する表記がなされてなる非接触ＩＣカードの構成採用にある。
【００２３】
本発明装置の第３の特徴は、上記本発明装置の第１又は第２の特徴における前記非接触ＩＣカードが、同時に複数枚の当該非接触ＩＣカードを検出して識別するアンチコリジョン機能を持つ前記リーダライタに対応するものであって、前記磁界検出素子を２つ以上有し、当該２つ以上の磁界検出素子の全部は、前記非接触ＩＣカードがなす四角形平面についての縦横の直交軸におけるいずれかの対称軸上にあり、且つ、当該対称軸を当該四角形平面の中心点で二分したときの一方側に、それぞれ離れて配置されており、前記磁界検出素子の１つ以上における前記磁性体シートと前記検出コイルの位置関係は、他の前記磁界検出素子における前記磁性体シートと前記検出コイルの位置関係とは逆になってなるＩＣチップを有してなる非接触ＩＣカードの構成採用にある。
【００２４】
本発明装置の第４の特徴は、上記本発明装置の第３の特徴における前記非接触ＩＣカードが、偏って分散配置されている前記磁界検出素子の当該配置に関連する特定方向を認識させる印が、当該非接触ＩＣカードの表面に表示されてなる非接触ＩＣカードの構成採用にある。
【００２５】
本発明装置の第５の特徴は、上記本発明装置の第１又は第２の特徴における前記非接触ＩＣカードが、同時に複数枚の当該非接触ＩＣカードを検出して識別するアンチコリジョン機能を持つ前記リーダライタに対応するものであって、前記磁界検出素子を２つ以上の偶数個有し、当該偶数個の磁界検出素子の内の２つからなる組は、前記非接触ＩＣカードがなす四角形平面についての縦横の直交対称軸におけるいずれかの対称軸上で、或いは両方の対称軸上で、当該四角形平面の中心点を対称中心として対称となる位置に、当該２つの磁界検出素子がそれぞれ配置されており、当該組をなす２つの磁界検出素子は、当該２つの磁界検出素子における一方の磁界検出素子の前記磁性体シートと前記検出コイルの位置関係が、当該２つの磁界検出素子における他方の前記磁界検出素子の前記磁性体シートと前記検出コイルの位置関係とは逆になってなる非接触ＩＣカードの構成採用にある。
【００２６】
本発明装置の第６の特徴は、上記本発明装置の第３、第４、又は第５の特徴における前記制御手段が、前記ＩＣチップが前記検出コイルに誘導された起電力を検出した場合に、前記リーダライタから前記非接触ＩＣカードに送られてくるコマンドに対して応答するレスポンスの内の一つ以上に、前記磁界検出素子が磁界を検出したことを示す情報を含めて、当該リーダライタへ送信する機能構成を備えてなる非接触ＩＣカードの構成採用にある。
【００２７】
本発明方法の第１の特徴は、上記本発明装置の第３、第４、第５又は第６の特徴における前記非接触ＩＣカードの位置検出方法が、当該非接触ＩＣカードを複数枚、それぞれの前記磁界検出素子が重なるように向き合わせて重ねて、前期リーダライタと通信させた場合に、当該複数枚の非接触ＩＣカードからのレスポンスの中で、当該磁界検出素子が磁界を検出したことを示す情報を含んだレスポンスを送信した非接触ＩＣカードを、当該リーダライタに一番近い位置にある非接触ＩＣカードと判別してなる非接触ＩＣカードの位置検出方法の構成採用にある。
【００２８】
本発明方法の第２の特徴は、上記本発明装置の第４又は第６の特徴における前記非接触ＩＣカードの位置検出方法が、前記非接触ＩＣカード表面に表示された印を用いて、当該非接触ＩＣカードを複数枚、それぞれの前記磁界検出素子が重なるように向き合わせて重ねて、前期リーダライタと通信させてなる非接触ＩＣカードの位置検出方法の構成採用にある。
【００２９】
本発明方法の第３の特徴は、上記本発明装置の第５又は第６の特徴における前記非接触ＩＣカードの位置検出方法が、当該非接触ＩＣカードを複数枚重ねて、前期リーダライタと通信させた場合に、当該複数枚の非接触ＩＣカードからのレスポンスの中で、当該磁界検出素子が磁界を検出したことを示す情報を含んだレスポンスを送信した非接触ＩＣカードを、当該リーダライタに一番近い位置にある非接触ＩＣカードと判別してなる非接触ＩＣカードの位置検出方法の構成採用にある。
【００３０】
【発明の実施の形態】
以下、添付図面を参照しながら、本発明の実施の形態を装置例及び方法例につき説明する。
【００３１】
（発明の原理）
なお、本発明は、非接触ＩＣカードが持つ裏表２つの面に対して、どちらか一方の面側からその非接触ＩＣカードに近づく磁界のみを検出する磁界検出素子を非接触ＩＣカードに配置し、磁界検出素子が磁界を検出したか否かによって、非接触ＩＣカードの動作を切替えることを可能とするものである。
【００３２】
また、磁界検出素子を非接触ＩＣカードの所定位置に複数個配置することで、複数枚の非接触ＩＣカードを重ねてリーダライタにかざした場合に、磁界検出素子の状態によってリーダライタに一番近い位置に存在する非接触ＩＣカードを特定することを可能とするものである。
【００３３】
（装置例１）
図１は、本発明の装置例１に係る非接触ＩＣカードの主要部をなす磁界検出素子の概念斜視図である。
図中、３，３’は磁界検出素子、１０１は検出コイル、１０２は磁性体シート、１０３は接続端である。
【００３４】
ここで、図１（Ａ）は、磁界検出素子３を検出コイル１０１と磁性体シート１０２で構成した例である。即ち、磁界検出素子３は、シート状の磁性体からなる磁性体シート１０２の上面に、検出コイル１０１を配置した構造となっている。そして、磁界検出素子３は、後述の図２に示すように、非接触ＩＣカード１に内蔵されている。
【００３５】
図１（Ｂ）は、磁界検出素子３’を検出コイル１０１、磁性体シート１０２及び絶縁性物質１０４で構成した例である。磁界検出素子３’は、磁性体シート１０２の上面に絶縁性物質１０４を配置し、更に絶縁性物質１０４の上面に検出コイル１０１を設置した構造となっている。即ち、磁性体シート１０２の上面と検出コイル１０１の間に、シート状の絶縁性物質１０４が挟まれている構成となっている。絶縁性物質１０４は、無機材料及び有機材料のいずれでもよく、例えば、紙、セロファン、テフロン（登録商標）シート、雲母などの絶縁性物質を用いる。
【００３６】
図２は、本発明の装置例１に係る非接触ＩＣカードの概念透視側面図である。図中、１は磁界検出素子３を内蔵した非接触ＩＣカード、２はリーダライタ、４はリーダライタのアンテナコイルから発せられた交流磁界、５は非接触ＩＣカード１に内蔵されているＩＣチップである。ＩＣチップ５は、検出コイル１０１と電気的に接続されており、検出コイル１０１を貫く磁束の量が時間的に変化したときに、当該検出コイル１０１に誘導された起電力を検出する機能を有する。
【００３７】
非接触ＩＣカード１は、リーダライタ２との電磁結合によってリーダライタ２から電力供給を受けて、リーダライタ２から発せられる交流磁界４を利用して通信する。
【００３８】
図２（Ａ）に示すように、磁界検出素子３の検出コイル１０１がリーダライタ２側を向いている状態、即ち、検出コイル１０１が磁性体シート１０２よりもリーダライタ２に近い状態に非接触ＩＣカード１がなっている場合は、リーダライタ２から発せられた交流磁界４が検出コイル１０１を貫通した後、磁性体シート１０２に吸収されるので、検出コイル１０１の接続端１０３に起電力が誘起される。
【００３９】
一方、図２（Ｂ）に示すように、磁界検出素子３の磁性体シート１０２がリーダライタ２側を向いている状態、即ち、磁性体シート１０２が検出コイル１０１よりもリーダライタ２に近い状態に非接触ＩＣカード１がなっている場合は、リーダライタ２から発せられる交流磁界４が検出コイル１０１を貫く前に磁性体シート１０２によって吸収されるので、リーダライタ２から発せられた交流磁界４が検出コイル１０１まで届かず、検出コイル１０１の接続端１０３には誘導起電力は生じない。
【００４０】
磁界検出素子３における検出コイル１０１の接続端１０３がＩＣチップ５に接続されているので、非接触ＩＣカード１におけるリーダライタ２側に向いている面によって、即ち、非接触ＩＣカード１がリーダライタ２に対して表面を向けているか裏面を向けているかによって、ＩＣチップ５では異なる状態を検出することが可能となる。従って、ＩＣチップ５は、非接触ＩＣカード１がリーダライタ２に対して表面を向けているか裏面を向けているかを判断することが可能となる。
【００４１】
図３は、非接触ＩＣカード１の基本動作を示すフローチャートである。
先ず、非接触ＩＣカード１は、リーダライタ２から電力供給を受けない状態即ちパワーオフの状態（ＳＴ１）から、リーダライタ２から発せられた交流磁界４による電力供給を受ける状態になると、パワーオンして、リクエストコマンド（ＲＥＱ）のみを受け付けるアイドル状態（ＳＴ２）に遷移する。
【００４２】
上述の磁界検出素子３による状態検出は、このアイドル状態（ＳＴ２）において実行できるので、本非接触ＩＣカード１では、二種類のアイドル状態を作り出すことが可能となる。即ち、非接触ＩＣカード１は、非接触ＩＣカード１がリーダライタ２に対して表面を向けている状態のアイドル状態と、非接触ＩＣカード１がリーダライタ２に対して裏面を向けている状態のアイドル状態を作り出すことが可能となる。
【００４３】
そこで、ＩＣチップ５において、磁界検出素子３の状態に応じて非接触ＩＣカード１のアイドル状態を切替える制御手段（図示せず）を予め組み込んでおくことで、二つの動作状態で起動可能な非接触ＩＣカード１を実現することができる。例えば、ＩＣチップ５の制御手段は、ＩＣチップ５が検出コイルに誘導された起電力を検出した場合には、非接触ＩＣカード１を入退出カードとして起動させ、起電力を検出しない場合には、特定の会員カードとして起動させる。
【００４４】
なお、アイドル状態（ＳＴ２）になった後に、リクエストコマンド（ＲＥＱ）を受け付けると、他のコマンドを待つ準備状態（ＳＴ３）となる。この準備状態（ＳＴ３）では、リーダライタ２が複数枚の非接触ＩＣカード１を同時に検出し得るアンチコリジョン状態となっている。準備状態（ＳＴ３）になった後に、所定のコマンドを受けるとそのコマンドに対応した処理をする活動状態（ＳＴ４）となる。そのコマンドに対応した処理が終了すると停止状態となる（ＳＴ５）。
【００４５】
（装置例２）
図４は、本発明の装置例２に係る非接触ＩＣカード１の概念透視側面図である。
図４（Ａ）は、二枚の非接触ＩＣカード１，１’が同一の向きに重ねられた状態を示し、図４（Ｂ）は、二枚の非接触ＩＣカード１，１’が互いに逆向きに重ねられた状態を示している。
【００４６】
本非接触ＩＣカード１，１’は、二枚重ねた場合に当該非接触ＩＣカード１の位置を検出することが可能な構成となっている。
２枚の非接触ＩＣカード１，１’は、同じ構成であって、それぞれ、磁界検出素子３ａ，３ｂが２つ具備されている。なお、磁界検出素子３を３つ以上具備させてもよい。
【００４７】
ここで、磁界検出素子３ａと磁界検出素子３ｂは、互いに異なった向きに配置されている。即ち、磁界検出素子３ａの磁性体シート１０２と検出コイル１０１の位置関係は、磁界検出素子３ｂにおける磁性体シート１０２とコイル１０１の位置関係とは逆になっている。
リーダライタ２は、複数枚の非接触ＩＣカード１，１’を同時に検出し得るアンチコリジョン機能を具備しているものとする。
【００４８】
図４（Ａ）に示すように、非接触ＩＣカード１，１’を二枚重ねてリーダライタ２と通信させようとした場合は、それぞれの非接触ＩＣカード１，１’の磁界検出素子３ａ，３ｂも同じ向きで重なり合う。このため、二枚の非接触ＩＣカードのうちリーダライタ２から遠い位置にある非接触ＩＣカード１’の磁界検出素子３ａ，３ｂの検出コイル１０１とリーダライタ２との間には、リーダライタ２に近い位置の非接触ＩＣカード１の磁性体シート１０２が存在することとなる。
【００４９】
そこで、リーダライタ２から遠い位置にある非接触ＩＣカード１’では、２つの磁界検出素子３ａ，３ｂの両方の検出コイル１０１で誘導起電力が発生しない。
一方、リーダライタ２に近い位置にある非接触ＩＣカード１では、２つある検出コイル１０１の少なくとも１つが、必ずリーダライタ２側に面して、磁性体シート１０２による交流磁界４の遮断を受けないので、誘導起電力を発生することとなる。
【００５０】
これらにより、リーダライタ２から発せられた交流磁界４からアンテナコイル６によって電力供給を受けて動作を開始した非接触ＩＣカード１は、その動作開始時に磁界検出素子３ａ，３ｂの状態も取得できる。
【００５１】
そして、リーダライタ２から発せられたリクエストコマンドなどに対するレスポンスに、磁界検出素子３ａ，３ｂの状態を示す情報を含めて送信する機能をＩＣチップ５に予め組み込んでおくことで、リーダライタ２から上位に位置するシステムにおいて、重ねて２枚配置されている非接触ＩＣカード１，１’をアンチコリジョン機能によって検出する際に、どの非接触ＩＣカード１，１’がリーダライタ２の近くに位置しているか判別することが可能となる。
【００５２】
また、図４（Ｂ）に示すように、二枚の非接触ＩＣカード１，１’が互いに逆向きに重ねられた状態においても、リーダライタ２に近い方に位置する非接触ＩＣカード１の磁界検出素子３ａ，３ｂ（本図では磁界検出素子３ａ）のみで誘導起電力が発生するので、各非接触ＩＣカード１，１’の位置を検出することが可能となる。
【００５３】
ただし、本実施形態の場合は、各非接触ＩＣカード１，１’に具備される磁界検出素子３ａ，３ｂを組み込む位置は、各非接触ＩＣカード１，１’を重ねた状態で略同じ位置となるように、非接触ＩＣカード１，１’に存在する対称軸上などに制限することが必要となる。即ち、後述の図１２〜１５に示すように、磁界検出素子３ａ，３ｂを配置することが必要となる。
【００５４】
（装置例３）
図５は、本発明の第３装置例に係る非接触ＩＣカード１の概念透視平面図であり、（Ａ）は表面を示し、（Ｂ）は裏面を示している。
本非接触ＩＣカード１は、１つの磁界検出素子３を備えており、表面には「入退カード」と印刷されており、裏面には「会員カード」と印刷されている。そして、表面側に磁界検出素子３の検出コイル１０１が位置して、裏面側に磁界検出素子３の磁性体シート１０２が位置するように、磁界検出素子３が配置されている。
【００５５】
（方法例１）
前記装置例３に適用する本実施形態の方法例１につき図面を参照して説明する。
図６は、本方法例１の実行手順を示すフローチャートである。
図７は、本方法例１の利用形態を示す模式概念図であり、（Ａ）は入退出カードとしての利用形態、（Ｂ）は会員カードとしての利用形態を示している。
図７において、１１は入退ゲート、１２はパーソナルコンピュータであり、上述の実施形態の構成要素と同一のものには同一符号を付けている。
【００５６】
本方法例では、１つの磁界検出素子３を組み込んだ非接触ＩＣカード１につき、そのカードが検出された後のアイドル状態での動作を、磁界検出素子３の状態によって入退管理用の専用コマンドに対応した「入退出カード」と、ＩＳＯ等で規定された標準的なコマンドに対応した「会員カード」とに使い分けることを、可能としている。即ち、複数のサービスに対して一枚の非接触ＩＣカード１で対応する相乗り利用を可能としている。
【００５７】
本方法例では、磁界検出素子３の状態によって、入退出用途の「入退出カード」と、一般的な用途の「会員カード」に非接触ＩＣカード１の動作を切替えるため、それぞれの用途に合わせて非接触ＩＣカード１の表面に、違いが分かるような文字や図柄（図５では文字）を印刷することで、利用者が簡単に区別することが出来るようにしている。このように、カード表面及び裏面の印刷模様とそのカードの機能を一致させられることも、本発明に係る非接触ＩＣカード１の特徴である。
【００５８】
図５（Ａ）では、磁界検出素子３の検出コイル１０１が見える状態となっているため、この状態で非接触ＩＣカード１を利用者が使用するとき、すなわち検出コイル１０１が見える面を上に向けてリーダライタ２に対面させず非接触ＩＣカード１を利用者が使用するときには、検出コイル１０１に誘導起電力が発生しない。これは、磁性体シート１０２によって、検出コイル１０１を貫こうとするリーダライタ２から発せられた交流磁界が吸収されるからである。
【００５９】
本方法例では、検出コイル１０１が見える面を上にした場合は「入退出カード」として動作する非接触ＩＣカード１としている。そして、非接触ＩＣカード１のＩＣチップ５は、磁界検出素子３に誘導起電力が発生しない状態で非接触ＩＣカード１がアイドル状態に遷移する場合に、カードが入退出用の専用コマンドに対応する状態でコマンドを待つように、制御することとなる。
【００６０】
一方、図５（Ｂ）に示すように、リーダライタ２に対面させた検出コイル１０１が見えない状態で、利用者が非接触ＩＣカード１を使用するとき、すなわち磁性体シート１０２が見える面を上に向けて非接触ＩＣカード１を利用するときには、磁界検出素子３に誘導起電力が発生する。そこで、この状態ではＩＳＯなどで規定される一般的なコマンドに対応した非接触ＩＣカード１として動作するように、その制御機能をＩＣチップ５に予め組み込んでおく。
【００６１】
次に、図６を参照して、本方法例１の実行手順を説明する。
このフローチャートは、非接触ＩＣカード１が磁界検出素子３の検出状態に応じて異なったアイドル状態に遷移するまでを示している。
【００６２】
先ず、非接触ＩＣカード１は、リーダライタ２から発せられた交流磁界４による電力供給を受けてパワーオンする（ＳＴ１１）。その後、ＩＣチップ５は、磁界検出素子３に誘導起電力が発生しているか否か判断する（ＳＴ１２）。
【００６３】
磁界検出素子３に誘導起電力が発生していない場合は、「入退出カード」のアイドル状態に遷移する（ＳＴ１４）。この「入退出カード」のアイドル状態では、図７（Ａ）に示すように、非接触ＩＣカード１が入退出カードとして利用される。
【００６４】
一方、ＳＴ１２で、磁界検出素子３に誘導起電力が発生したと判断された場合は、「会員カード」のアイドル状態に遷移する（ＳＴ１３）。この「会員カード」のアイドル状態では、図７（Ｂ）に示すように、非接触ＩＣカード１が会員カードとして利用される。
【００６５】
図８は、方法例１における非接触ＩＣカード１とリーダライタ２と上位装置との間でのコマンド送受信を示すフロー図である。
ここで、上位装置とは、図７（Ａ）では入退出ゲート１１であり、図７（Ｂ）ではパーソナルコンピュータ１２である。そして、図８（Ａ）では、入退出ゲート１１を上位装置とした場合のフロー図を示し、図８（Ｂ）では、パーソナルコンピュータ１２を上位装置とした場合のフロー図を示している。
【００６６】
利用者が入退出ゲート１１を通過する際には、「入退カード」と印刷された面を上にしてその非接触ＩＣカード１を図７（Ａ）のリーダライタ２にかざすだけで、入退出ゲート１２を通過することができる。
【００６７】
また、この非接触ＩＣカード１を会員カードとして利用する場合には、「会員カード」と印刷された面を上にしてその非接触ＩＣカード１を図７（Ｂ）のリーダライタ２に挿入することで、パーソナルコンピュータ１２上で会員を対象に提供されるサービスが画面上に表示され、画面上で所望のサービスを選択することで、所望のサービスを利用することができることとなる。
【００６８】
これらの異なる利用形態（複数の利用形態）を持つ非接触ＩＣカード１について、先ず、図８（Ａ）の入退出ゲート１１についての処理フローを参照して説明する。
先ず、非接触ＩＣカード１がリーダライタ２からリクエストコマンドに相当する初期コマンドを受信すると（ＳＴａ）、非接触ＩＣカード１内部では、例えばベリファイなどの認証を行う。
【００６９】
そして、非接触ＩＣカード１は、その認証結果をリーダライタ２へレスポンスとして返送する特殊なコマンド（専用コマンド）に対応している（ＳＴｂ）。ＳＴｂで、レスポンスとして正常終了を受信したリーダライタ２は、その正常終了を情報として上位装置である入退出ゲート１１に送信する（ＳＴｃ）。この結果、入退出ゲート１１が開いて、利用者が通行できることとなる。
【００７０】
これらにより、専用コマンドを使用している非接触ＩＣカード１をリーダライタ２かざすだけで、短時間に入退出ゲート１１を開けることが可能となる。なお、本実施形態では、簡略化した場合を示しており、より複雑な処理をするような専用コマンドを使用するものであっても、本発明の作用及び効果に影響を与えることなく適用することができる。
【００７１】
次に、図８（Ｂ）のパーソナルコンピュータ１２についての処理フローを説明する。
ここで、非接触ＩＣカード１は、ＩＳＯ１４４４３のタイプＢの規格に準拠したモデルとする。
【００７２】
先ず、リーダライタ２からリクエストコマンドを受けてから（ＳＴｄ）、非接触ＩＣカード１がリーダライタ２に検出されてアクティブ状態に遷移するまでに、ＡＴＱＢの返信（ＳＴｅ）、ＡＴＴＲＩＢコマンドの送信（ＳＴｆ）、Answer to ATTRIBコマンドの返信（ＳＴｇ）、といった一連の処理を行う。なお、ＡＴＱＢ、ＡＴＴＲＩＢコマンド及びAnswer to ATTRIBコマンドは、それぞれ、、ＩＳＯ１４４４３のタイプＢ規格に規定されている処理である。
【００７３】
そして、非接触ＩＣカード１がアクティブ状態に遷移した後、非接触ＩＣカード１を検出した旨の情報を上位装置（パーソナルコンピュータ１２）に送信し（ＳＴｈ）、これを受けた上位装置（パーソナルコンピュータ１２）に組み込まれているアプリケーションソフトが非接触ＩＣカード１を認証するためのコマンドをリーダライタ２に送信する（ＳＴｉ）。
【００７４】
リーダライタ２は、その送信されてきたコマンドを非接触ＩＣカード１へ送信する（ＳＴｊ）。当該コマンドを受信した非接触ＩＣカード１は、認証処理を行った後、レスポンスを返信する（ＳＴｋ）。リーダライタ２は、受信したレスポンスを上位装置（パーソナルコンピュータ１２）に送信する（ＳＴｌ）。その後、初めて非接触ＩＣカード１内部のファイルにアクセスするコマンドを上位装置（パーソナルコンピュータ１２）がリーダライタ２へ送信し（ＳＴｍ）、このコマンドをリーダライタ２が非接触ＩＣカード１へ送信する（ＳＴｎ）。
【００７５】
受信したコマンドに対する結果を非接触ＩＣカード１がレスポンスとしてリーダライタ２へ返し（ＳＴｏ）、そのレスポンスをリーダライタ２が上位装置（パーソナルコンピュータ１２）に送信する（ＳＴｐ）。
【００７６】
これらにより、初めて上位装置（パーソナルコンピュータ１２）が非接触ＩＣカード１の内部にアクセス可能となる。この非接触ＩＣカード１内部へのアクセスは、例えば、会員サービスにおいて必要となる情報が格納されているファイルにアクセスして読み取りをすることなどが該当し、読み取ったデータに基づいてパーソナルコンピュータ１２上にメニュー表示することとなる。
【００７７】
実際に非接触ＩＣカード１の利用者がサービスの提供を受けるには、更にパーソナルコンピュータ１２上に表示されたメニューから所望のサービスを選択した後になる。
【００７８】
これらのように、ある用途に限定したコマンドを予め準備しておいて、そのコマンドを用いた場合には、ＩＳＯ等の規格に基づいて汎用に作られた非接触ＩＣカード１の検出やコマンドに沿って処理する場合と比較して、格段に処理時間を短縮することが可能となる。
本実施形態では、非接触ＩＣカード１の一方の面を上にして用いた場合は入退出用の専用コマンドに対応したカードとなり、他方の面を上にして用いた場合は一般的なＩＣカードとして動作する例を示した。
【００７９】
例えば、一方の面を上にして用いた場合は公共交通用のカードとなり、他方の面を上にして用いた場合はテレホンカードとなる、といったような、両面とも専用のカードとして動作する非接触ＩＣカード１としてもよい。また、一方の面を上にして用いた場合はＩＳＯ１４４４３規格のタイプＡのカードとなり、他方の面を上にして用いた場合はＩＳＯ１４４４３規格のタイプＢのカードとなる、といったような両面とも標準的な汎用のカードとして動作する非接触ＩＣカード１としてもよい。
また、どちらの面を上にしても、アイドル状態やアンチコリジョンの方法に違いは無いが、利用するデータの格納場所（ファイル）が異なり、カードの裏か表かによって、読み出せるデータ（ファイル）を制限するといった、カードとしての動作に差が無く、セキュリティーを高める様な場合でもかまわない。
【００８０】
（方法例２）
本実施形態の方法例２につき図９、図１０及び図１１を参照して説明する。
図９は、方法例２に適用される非接触ＩＣカード１の概念透視平面図である。図１０は、図９に示す非接触ＩＣカード１の概念透視側面図であり、（Ａ）は非接触ＩＣカード１の表面１ａをリーダライタ２に向けた場合を示し、（Ｂ）は非接触ＩＣカード１の裏面１ｂをリーダライタ２に向けた場合を示している。
【００８１】
本実施形態例の非接触ＩＣカード１は、２つの磁界検出素子３ａ，３ｂを備えており、図４に示す非接触ＩＣカード１と同様に、各磁界検出素子３ａ，３ｂを互いに逆向きとなるように配置している。
【００８２】
そこで、図１０に示すように、非接触ＩＣカード１をリーダライタ２にかざすと、非接触ＩＣカード１の表裏どちらの面をリーダライタ２に向けても、必ず２つの磁界検出素子３ａ，３ｂのうちのいずれかに誘導起電力が発生することとなる。そして、非接触ＩＣカード１に内蔵されるＩＣチップ５が誘導起電力の発生した磁界検出素子３ａ，３ｂに応じて、非接触ＩＣカード１の動作を切替えることで、上述の方法例１と同様に、複数の異なる動作（サービス）を実行可能な非接触ＩＣカード１が実現する。
【００８３】
図１１は、本方法例２の実行手順を示すフローチャートである。
同図では、本方法例２の非接触ＩＣカード１が異なるアイドル状態に遷移するまでの処理を示している。
【００８４】
先ず、非接触ＩＣカード１は、リーダライタ２から発せられた交流磁界４による電力供給を受けてパワーオンする（ＳＴ２１）。その後、非接触ＩＣカード１のＩＣチップ５は、磁界検出素子３ａ又は磁界検出素子３ｂに誘導起電力が発生しているか否か判断する（ＳＴ２２，ＳＴ２４）。
【００８５】
ＳＴ２２で、磁界検出素子３ａに誘導起電力が発生したと判断された場合は、「会員カード」のアイドル状態に遷移する（ＳＴ２３）。この「会員カード」のアイドル状態では、図７（Ｂ）に示すように、非接触ＩＣカード１が会員カードとして利用される。
【００８６】
一方、ＳＴ２４で、磁界検出素子３ｂに誘導起電力が発生していると判断された場合は、「入退出カード」のアイドル状態に遷移する（ＳＴ２４）。この「入退出カード」のアイドル状態では、図７（Ａ）に示すように、非接触ＩＣカード１が入退出カードとして利用される。
【００８７】
これらにより、本方法例２の非接触ＩＣカード１は、図５に示す非接触ＩＣカード１に比べて、磁界検出素子３の数が多い分、判別機能が増え、より高い精度で非接触ＩＣカード１の向きを検出することが可能となる。なお、本方法例２においても、非接触ＩＣカード１が検出された後の動作については、方法例１の動作と同一である。
【００８８】
（方法例３）
本実施形態の方法例３につき図１２及び図１３を参照して説明する。
図１２は、方法例３に適用される非接触ＩＣカード１の概念透視平面図である。
図１２（Ａ）では、非接触ＩＣカード１の短辺縦方向の対称軸Ｙ上に２つの磁界検出素子３ａ，３ｂを配置した例を示している。また、２つの磁界検出素子３ａ，３ｂは、縦対称軸Ｙ上であって、非接触ＩＣカード１の中心Ｏで分けた一方側（下側）に、２つとも配置されている。
【００８９】
図１２（Ｂ）では、非接触ＩＣカード１の長辺横方向の対称軸Ｘ上に２つの磁界検出素子３ａ，３ｂを配置した例を示している。また、２つの磁界検出素子３ａ，３ｂは、横対称軸Ｘ上であって、非接触ＩＣカード１の中心Ｏで分けた一方側（右側）に、２つとも配置されている。
【００９０】
本方法例３の非接触ＩＣカード１は、アンチコリジョンに対応した非接触ＩＣカード１であり、非接触ＩＣカード１を複数枚重ね合わせた場合に、２つの磁界検出素子３ａ，３ｂがそれぞれ同じ位置にくるように配置して、非接触ＩＣカード１の位置を検出するものである。
【００９１】
但し、本方法例３では、非接触ＩＣカード１の中心Ｏで分けた半分の領域にしか磁界検出素子３ａ，３ｂが配置されていないので、非接触ＩＣカード１を重ねて利用するる際には、各非接触ＩＣカード１の向きを揃える必要がある。
そこで、図１２に示すように、非接触ＩＣカード１の表面に矢印など向きが分かる表示が印刷して、利用者が非接触ＩＣカード１の向きを間違えることなく利用出来ることとしている。
【００９２】
このように、複数枚の非接触ＩＣカード１の向きを揃えて重ね合わせることで、磁界検出素子３ａ，３ｂが非接触ＩＣカード１の対称軸上の同位置に配置されるので、非接触ＩＣカード１の裏表に関係無く、磁界検出素子３ａ，３ｂが重なった状態になる。
【００９３】
そこで、図４の説明で詳述したように、リーダライタ２に最も近い位置に存在する非接触ＩＣカード１の磁界検出素子３ａ，３ｂに誘導起電力が発生する。そして、磁界検出素子３ａ，３ｂの状態を示す情報を非接触ＩＣカード１からリーダライタ２へ送るレスポンスに含めることで、非接触ＩＣカード１の位置を示す情報をシステム（上位装置）側へ送ることが可能となる。
【００９４】
図１３は、方法例３に適用される他の実施形態の非接触ＩＣカード１の概念平面図である。
図１２では、２つの磁界検出素子３ａ，３ｂを具備する非接触ＩＣカード１を示したが、図１３で示すように、より多くの磁界検出素子３を配置して、少なくとも１つの磁界検出素子３が他の磁界検出素子３とは逆向きとなるように構成すれば、図１２の非接触ＩＣカード１と同様の効果を得ることができる。
【００９５】
（方法例４）
本実施形態の方法例４につき図１４及び図１５を参照して説明する。
図１４は、方法例４に適用される非接触ＩＣカード１の概念透視平面図である。
図１４（Ａ）では、非接触ＩＣカード１の短辺縦方向の対称軸Ｙ上に２つの磁界検出素子３ａ，３ｂを配置した例を示している。また、２つの磁界検出素子３ａと磁界検出素子３ｂは、対称軸Ｙ上であって、非接触ＩＣカード１の中心点Ｏに対して対称に配置されている。
【００９６】
図１４（Ｂ）では、非接触ＩＣカード１の長辺横方向の対称軸Ｘ上に２つの磁界検出素子３ａ，３ｂを配置した例を示している。また、２つの磁界検出素子３ａと磁界検出素子３ｂは、対称軸Ｘ上であって、非接触ＩＣカード１の中心点Ｏに対して対称に配置されている。
【００９７】
本方法例３の非接触ＩＣカード１は、アンチコリジョンに対応した非接触ＩＣカード１であり、非接触ＩＣカード１を複数枚重ね合わせた場合に、２つの磁界検出素子３ａ，３ｂがそれぞれ同じ位置にくるように配置して、非接触ＩＣカード１の位置を検出するものである。
【００９８】
本方法例４では、非接触ＩＣカード１を複数枚重ねて配置した場合に、非接触ＩＣカード１の向きによらず、常に、各非接触ＩＣカード１における磁界検出素子３ａ，３ｂの位置が重なる位置（同じ位置）に来るので、利用時に非接触ＩＣカード１の裏表や向きを意識する必要が無くなる。
【００９９】
本非接触ＩＣカード１を複数枚重ねて配置した場合に、リーダライタ２に最も近い位置にある非接触ＩＣカード１の磁界検出素子３ａ，３ｂにのみ誘導起電力が発生するのは、上述の実施形態と同一である。この磁界検出素子３ａ，３ｂの状態を示す情報を、非接触ＩＣカード１に送信されたコマンドに対するレスポンスに含めてリーダライタ２へ送信することで、リーダライタ２の上位にあるシステム（上位装置）で非接触ＩＣカード１の位置を検出することが可能となる。
【０１００】
図１５は、方法例４に適用される他の実施形態の非接触ＩＣカード１の概念透視平面図である。
上述の実施形態と同様に、磁界検出素子３を４個以上の偶数個用いても図１４の非接触ＩＣカード１と同様の効果を得ることができる。図１５では、非接触ＩＣカード１における縦横２つの直交対称軸Ｙ，Ｘ上にそれぞれ２つの磁界検出素子３を配置して、合計４個配置した例を示している。
【０１０１】
以上、本発明の実施形態例を説明したが、本発明は、必ずしも上記した事項に限定されるものではなく、本発明の目的を達し、下記する効果を奏する範囲において、適宜変更実施可能である。
【０１０２】
【発明の効果】
以上説明したように、本発明によれば、非接触ＩＣカードをリーダライタにかざすだけで、当該非接触ＩＣカードがリーダライタに対して表面を向けているか裏面を向けているか自動的に認識可能となるので、複数のサービスに対して一枚の非接触ＩＣカードで対応する相乗り利用が可能であって、非接触ＩＣカードの検出からデータアクセスまでの時間を含めた相乗り利用においての処理時間を短縮することが可能となる。
【０１０３】
また、非接触ＩＣカードに複数の磁界検出素子を配置することで、非接触ＩＣカードを複数枚重ねてリーダライタにかざした場合に、リーダライタに対する各非接触ＩＣカードの位置関係を認識することが可能となり、複数枚のカードを用いるサービスで木目細かなガイダンスの提供等を実現することが可能となる。
【図面の簡単な説明】
【図１】本発明の装置例１に係る非接触ＩＣカードの主要部をなす磁界検出素子の概念斜視図である。
【図２】同上の装置例１に係る非接触ＩＣカード１の概念透視側面図である。
【図３】同上の非接触ＩＣカード１の基本動作を示すフローチャートである。
【図４】本発明の装置例２に係る非接触ＩＣカード１の概念透視側面図である。
【図５】本発明の第３装置例に係る非接触ＩＣカード１の概念透視平面図である。
【図６】本発明の方法例１の実行手順を示すフローチャートである。
【図７】同上の本方法例１の利用形態を示す模式概念図である。
【図８】同上の本方法例１における非接触ＩＣカード１とリーダライタ２と上位装置との間でのコマンド送受信を示すフロー図である。
【図９】本発明の方法例２に適用される非接触ＩＣカード１の概念透視平面図である。
【図１０】同上の非接触ＩＣカード１の概念透視側面図である。
【図１１】同上の本方法例２の実行手順を示すフローチャートである。
【図１２】本発明の方法例３に適用される非接触ＩＣカード１の概念透視平面図である。
【図１３】同上の方法例３に適用される他の実施形態の非接触ＩＣカード１の概念透視平面図である。
【図１４】本発明の方法例４に適用される非接触ＩＣカード１の概念透視平面図である。
【図１５】同上の方法例４に適用される他の実施形態の非接触ＩＣカード１の概念透視平面図である。
【符号の説明】
１，１’…非接触ＩＣカード
２…リーダライタ
３，３’，３ａ，３ｂ…磁界検出素子
４…交流磁界
５…ＩＣチップ
６…アンテナコイル
１１…入退出ゲート
１２…パーソナルコンピュータ
１０１…検出コイル
１０２…磁性体シート
１０３…接続端
１０４…絶縁性物質
Ｘ，Ｙ…対称軸
Ｏ…中心
【図１】
0003821363.tif 000002
【図２】
0003821363.tif 000003
【図３】
0003821363.tif 000004
【図４】
0003821363.tif 000005
【図５】
0003821363.tif 000006
【図６】
0003821363.tif 000007
【図７】
0003821363.tif 000008
【図８】
0003821363.tif 000009
【図９】
0003821363.tif 000010
【図１０】
0003821363.tif 000011
【図１１】
0003821363.tif 000012
【図１２】
0003821363.tif 000013
【図１３】
0003821363.tif 000014
【図１４】
0003821363.tif 000015
【図１５】
0003821363.tif 000016